(57)【特許請求の範囲】
【請求項１】
放射性を有する塵芥を含んだ廃水が貯留された廃水容器内の廃水を循環させつつ濾過するシステムであって、
上記廃水容器内に、上記廃水の水面より下方に配置されるフィルタと、
該フィルタに着脱可能に取り付けられたヘッダと、
一端が上記ヘッダに接続され他端が上記廃水容器内に向けられた循環路と、
該循環路に設けられ、上記廃水を上記循環路の両端の内の一方から他方に圧送して上記フィルタに通過させるポンプと、
上記廃水に浮かべられるフロートと、
該フロートに接続され上記廃水に浸漬されるケージとを備え、
上記フィルタは、上記ケージ内に収容され、
上記循環路は、一端が上記ヘッダに接続され他端が上記廃水の水面より下方に位置付けられ、
上記ポンプは、上記廃水の水中に位置する上記ケージに装着され、上記循環路の上記一端から上記他端に向けて上記廃水を圧送する
ことを特徴とする放射性廃水の循環濾過システム。
【請求項２】
上記フィルタに、一部が上記廃水の水面より上方に突き出るホルダを連結切離可能に取り付け、
該ホルダの、上記廃水の水面より上方に突き出る部分に、上記フィルタの連結切離を切り替える操作部を設けた
請求項１に記載の放射性廃水の循環濾過システム。
【請求項３】
請求項２に記載されたホルダに取り付けられたフィルタが目詰まりしたとき、
そのフィルタを上記廃水の水面より下方に位置させた状態で、上記ホルダの操作部を上記廃水の水面より上方で操作して上記ホルダから上記フィルタを切離し、
切離したフィルタを上記廃水の水中に保管し、
フィルタが切離されたホルダを上記廃水の水面から引き上げ、そのホルダに気中にて新たなフィルタを取り付ける
ことを特徴とする放射性廃水の循環濾過システムのフィルタ交換方法。
【発明の詳細な説明】
【技術分野】
【０００１】
本発明は、放射性を有する塵芥を含んだ廃水が貯留された廃水容器内の廃水を循環させつつ濾過するシステム及びそのシステムに用いられるフィルタの交換方法に関する。
【背景技術】
【０００２】
原子力発電所等の施設においては、放射性を有する塵芥が混入した廃水を貯留する廃水容器（槽又はタンク）が設けられている。この廃水容器には、例えば、各種配管内に付着した放射性を有するクラッド、水垢等が剥がれて混入した廃水等が流入し、貯留される。
【０００３】
この廃水容器の内面のライニングの継ぎ目等を点検する場合、設備の状況により廃水を他のタンクに移送できない場合が多く、廃水容器内の廃水を循環させつつ廃水中の放射性塵芥（上記クラッド、水垢、埃等）を濾過して、廃水の濁りを解消する処置が行われる。この処置に用いられる放射性廃水の循環濾過システムとして、図９に示すものが知られている。
【０００４】
この循環濾過システムは、廃水容器（廃水槽）２の近傍の床面２ａに濾過装置３０を仮設し、濾過装置３０の入口に吸込ホース３１を接続し、濾過装置３０の出口に吐出ホース３２を接続し、吸込ホース３１に設けられたポンプ３３によって廃水槽２内の廃水１を吸い込んで濾過装置３０に導き、濾過装置３０のフィルタユニット３４で濾過された後の廃水を吐出ホース３２を通して廃水槽２に戻すようにしている。
【０００５】
ここで、継続使用により、フィルタユニット３４が放射性を有する塵芥で目詰まりしたなら、ポンプ３３を一旦停止し、作業員がフィルタユニット３４を濾過装置３０から取り外し、それを床面２ａに仮設された放射線遮蔽機能を有する保管庫３５に保管し、新たなフィルタユニット３４を濾過装置３０に装着する、という交換作業を行う。
【０００６】
なお、このような放射性廃水の循環濾過システムと関連する放射性排水の濾過方法として、特許文献１に記載されたもの等が知られている。
【０００７】
【特許文献１】特開２００１−１０８７８９号公報
【発明の開示】
【発明が解決しようとする課題】
【０００８】
ところで、上記交換作業においては、放射性塵芥が目詰まりして汚染されたフィルタユニット３４を作業員が濾過装置３０から取り外して保管庫３５に運び入れるとき、フィルタユニット３４が放射線遮蔽物が存在しない気中に解放された状態となる。このため、作業員の被爆線量が短時間で許容量に達し、作業時間が短時間に制限され、作業延べ人数の増大を招いていた。
【０００９】
また、放射性塵芥を捕集するフィルタユニット３４が装着される濾過装置３０、汚染されたフィルタユニット３４を保管する保管庫３５は、共に仮設の設備であって、放射線遮蔽物が存在しない気中に晒された状態で設置されることは好ましくない。
【００１０】
また、上記循環濾過システムにおいては、濾過装置３０及び保管庫３５を仮設するための床面２ａが廃水槽２の近傍に必要となるので、廃水槽２の近傍に仮設に必要な広さの床面２ａが存在しない場合には設置できず、設置場所が制限されてしまう。
【００１１】
以上の事情を考慮して創案された本発明の目的は、作業員の被爆低減が図れ、放射線の漏洩リスクを解消でき、設置場所が制限されない放射性廃水の循環濾過システム及びそのフィルタ交換方法を提供することにある。
【課題を解決するための手段】
【００１２】
上記目的を達成するために本発明に係る放射性廃水の循環濾過システムは、放射性を有する塵芥を含んだ廃水が貯留された廃水容器内の廃水を循環させつつ濾過するシステムであって、上記廃水容器内に、上記廃水の水面より下方に配置されるフィルタと、該フィルタに着脱可能に取り付けられたヘッダと、一端が上記ヘッダに接続され他端が上記廃水容器内に向けられた循環路と、該循環路に設けられ、上記廃水を上記循環路の両端の内の一方から他方に圧送して上記フィルタに通過させるポンプと、上記廃水に浮かべられるフロートと、該フロートに接続され上記廃水に浸漬されるケージとを備え、上記フィルタは、上記ケージ内に収容され、上記循環路は、一端が上記ヘッダに接続され他端が上記廃水の水面より下方に位置付けられ、上記ポンプは、上記廃水の水中に位置する上記ケージに装着され、上記循環路の上記一端から上記他端に向けて上記廃水を圧送することを特徴とする。
【００１４】
上記フィルタに、一部が上記廃水の水面より上方に突き出るホルダを連結切離可能に取り付け、該ホルダの、上記廃水の水面より上方に突き出る部分に、上記フィルタの連結切離を切り替える操作部を設けてもよい。
【００１５】
また、本発明に係る放射性廃水の循環濾過システムのフィルタ交換方法は、上記ホルダに取り付けられたフィルタが目詰まりしたとき、そのフィルタを上記廃水の水面より下方に位置させた状態で、上記ホルダの操作部を上記廃水の水面より上方で操作して上記ホルダから上記フィルタを切離し、切離したフィルタを上記廃水の水中に保管し、フィルタが切離されたホルダを上記廃水の水面から引き上げ、そのホルダに気中にて新たなフィルタを取り付けるようにしたものである。
【発明の効果】
【００１６】
本発明に係る放射性廃水の循環濾過システム及びそのフィルタ交換方法によれば、作業員の被爆低減が図れ、放射線の漏洩リスクを解消でき、システムの設置場所が制限されない。
【発明を実施するための最良の形態】
【００１７】
第１の実施形態を図１〜図３を用いて説明する。
【００１８】
図１は本実施形態に係る放射性廃水の循環濾過システムの概略を表す側断面図、図２は図１の要部分解図、図３は図１の部分平面図である。
【００１９】
図１に示すように、原子力発電所等の施設においては、放射性を有する塵芥（クラッド、水垢、埃等）が混入した廃水１を貯留する廃水容器（廃水槽）２が設けられている。この廃水槽２の内面のライニングの継ぎ目等を点検する場合、廃水槽２内の廃水１を循環させつつ廃水１中の塵芥を濾過し、廃水１の濁りを解消する処置がなされる。本実施形態に係る放射性廃水の循環濾過システムは、この処置に用いられる。
【００２０】
この循環濾過システムは、廃水槽２内に、廃水１の水面１ａより下方に配置されるフィルタ３と、フィルタ３に着脱可能に取り付けられたヘッダ４と、一端がヘッダ４に接続され他端が廃水槽１内に向けられた循環路（ホース）５と、ホース５に設けられ、廃水１をホース５の両端の内の一方から他方に圧送してフィルタ３に通過させるポンプ６とを有する。
【００２１】
フィルタ３は、廃水１に浮かべられたフロート７に接続されたケージ８（図中、破線で表す）内に収容されている。すなわち、この循環濾過システムは、廃水１に浮かべられるフロート７と、フロート７に接続され廃水１に浸漬されるケージ８とを備えており、このケージ８内に、フィルタ３が収容されていて、フィルタ３が廃水槽２の底部まで沈降しないようになっている。
【００２２】
図２に示すように、フィルタ３は、鉛直に配置された円筒状に形成されており、その上端にヘッダ４が着脱可能に取り付けられ、下端に蓋部材９が取り付けられている。ヘッダ４には、ホース５の一端５ａが接続され、ホース５の他端５ｂは、図１に示すように廃水１の水面１ａより下方に位置付けられている。
【００２３】
ホース５には、ポンプヘッダ１０及びポンプ６が介設されている。ポンプ６は、廃水１の水中に位置するケージ８に、装着されている。このポンプ６は、ホース５の一端５ａから他端５ｂに向けて廃水１を圧送し、廃水槽２内の廃水１をフィルタ３の側面から吸い込んでホース５等を通して廃水槽２内に排出する。
【００２４】
図３に示すように、ヘッダ４は、フロート７に接続された支持部材１１に、着脱可能に取り付けられている。なお、図３ではヘッダ４及びそれに装着されたフィルタ３が６個表され、図１ではヘッダ４及びそれに装着されたフィルタ３が１個のみ表されているが、これは作図上の都合による相違であり、１個以上であれば何個でも構わない。但し、濾過効果を考慮すれば複数（２個以上）が好ましい。
【００２５】
図１に示すように、ヘッダ４は、その一部（上部）４ａが廃水１の水面１ａより上方に突き出るようにして、支持部材１１に着脱可能（連結切離可能）に取り付けられており、その上部４ａを作業員が直接又は治具等を用いて間接的に把持することができるようになっている。すなわち、本実施形態におけるヘッダ４は、特許請求の範囲の請求項２のホルダをも兼ねているため、以下、ヘッダホルダ４という。
【００２６】
ヘッダホルダ４の廃水１の水面１ａより上方に突き出る上部４ａには、ヘッダホルダ４に対するフィルタ３の連結（ロック）、切離（アンロック）を切り替える操作部１２が設けられている。操作部１２をロック位置とすれば、フィルタ３がヘッダホルダ４に固定され、操作部１２をアンロック位置とすれば、フィルタ３がヘッダホルダ４から切離される。
【００２７】
廃水槽２の水面１ａには別のフロート１３が浮かべられており、このフロート１３には別のケージ１４が吊下され、廃水１中に浸漬されている。このケージ１４には、ヘッダホルダ４から切離されたフィルタ３が、水面１ａより下方に収容される。すなわち、このケージ１４は、汚染されたフィルタ３の保管ケージとなる。
【００２８】
本実施形態に係る放射性廃水の循環濾過システムを用いた廃水槽２内の廃水１の濾過、及びフィルタ３の交換について述べる。
【００２９】
図１に示すように、本実施形態に係る循環濾過システムを構成する各部品を、廃水槽２の水面１ａに浮かべ、ポンプ６を作動させる。それにより、廃水槽２内の廃水１は、フィルタ３の側面から吸い込まれてヘッダ４及びホース５等を通して廃水槽２に排出され、循環される。この循環により、廃水１中の放射性塵芥（クラッド、水垢、埃等）がフィルタ３に捕集され、廃水１が徐々に濾過されていく。
【００３０】
なお、ホース５の先端５ｂを下方に向けておけば、ホース５の先端５ｂから排出される廃水１の水流によって、廃水槽２の底に沈下積層している放射性塵芥１５が舞い上げられてフィルタ３に捕集され易くなる。よって、ホース５の先端５ｂを下方に向けておくことが好ましい。
【００３１】
濾過を継続すると、フィルタ３に放射性塵芥が徐々に溜まっていき、ポンプ６の入口側と出口側との差圧が徐々に大きくなってくる。なお、この差圧は、所定時間毎に又は常時監視しておく。そして、上記差圧が所定値以上になったなら、フィルタ３が放射性塵芥で目詰まりしたと判断し、ポンプ６の運転を停止して次のようにしてフィルタ３の交換作業を行う。
【００３２】
先ず、ヘッダホルダ４の、廃水１の水面１ａから上方に飛び出た上部４ａを作業員が直接又は治具等を用いて間接的に把持し、それに取り付けられたフィルタ３が水面１ａより下方に位置する状態を保ちつつ、ヘッダホルダ４を支持部材１１（図３参照）から取り外す。このとき、操作部１２はロック位置となっているため、フィルタ３がヘッダホルダ４から外れることはない。
【００３３】
次に、支持部材１１から取り外したヘッダホルダ４を、それに取り付けられたフィルタ３が水面１ａより下方に位置する状態を保ちつつ、水平方向に移動させて保管ケージ１４内に移送する。この水平移動は、ヘッダホルダ４の上部４ａ（水面１ａより上方に突出した部分）を、作業員が直接又は間接的に把持して行う。
【００３４】
こうしてヘッダホルダ４及びそれに取り付けられたフィルタ３を保管ケージ１４内に移送したならば、作業員がヘッダホルダ４の上部４ａに設けられた操作部１２を直接又は間接的に操作してアンロック位置とし、フィルタ３をヘッダホルダ４から切り離す。切り離されたフィルタ３は、保管ケージ１４内に沈められた状態で収容される。
【００３５】
その後、フィルタ３が切離されたヘッダホルダ４を水面１ａから引き上げ、そのヘッダホルダ４に気中にて新たなフィルタ３を取り付ける。引き上げは、ヘッダホルダ４の上部４ａを、作業員が直接又は間接的に把持して行う。そして、新たなフィルタ３が取り付けられたヘッダホルダ４を再び支持部材１１（図３参照）に装着し、循環濾過に用いる。
【００３６】
循環濾過が終了した後、保管ケージ１４には汚染されたフィルタ３が複数保管された状態となっている。これらフィルタ３は、工事終了後に保管ケージ１４ごと引き上げられ、纏めて処理される。このとき多少の被爆が生じるが、図９の従来例のように汚染されたフィルタユニット３４を一本一本処理していた場合と比べると、トータルの被爆量は少なくなる。
【００３７】
上述した放射性廃水の循環濾過システムによれば、濾過すべき廃水１が貯留された廃水槽２の水面１ａに、循環濾過システムを構成する各部品を浮かべているので、それら各部品を設置するための床面２ａ（図９参照）が不要となり、システムの設置場所が制限されない。すなわち、濾過すべき廃水１が貯留された廃水槽２の近傍にシステムを仮設するための床面２ａが存在しない場合であっても、設置できる。
【００３８】
また、上述した放射性廃水の循環濾過システムのフィルタ交換方法によれば、フィルタ３を廃水１の水面１ａより下方でヘッダホルダ４から切り離し、フィルタ３を水中に取り残しヘッダホルダ４のみを水面１ａから引き上げているので、放射性塵芥で汚染されたフィルタ３が気中に露出することはなく、作業員の被爆低減が図れる。すなわち、廃水槽２内の廃水１が、放射性塵芥で汚染されたフィルタ３の遮蔽材となる。
【００３９】
また、循環濾過の最中においても、放射性塵芥で徐々に汚染されていくフィルタ３は、廃水槽２内の廃水１の水面１ａより下方に位置された状態が保持されるので、廃水槽２内の廃水１が循環濾過により汚染されていくフィルタ３の遮蔽材となり、放射線の漏洩リスクの問題が解消される。
【００４０】
同様に、保管ケージ１４に保管された放射性塵芥で汚染されたフィルタ３も、廃水槽２内の廃水１の水面１ａより下方に位置された状態が保持されるので、廃水１が遮蔽材となり、放射線の漏洩リスクの問題が解消される。
【００４１】
第２の実施形態を図４〜図８を用いて説明する。
【００４２】
図４は本実施形態に係る放射性廃水の循環濾過システムの要部を表す側断面図、図５は図４のＶ−Ｖ線断面図、図６はフィルタ３及びホルダ１６を示す側面図、図７はフィルタ３の交換を表す平面図、図８は保管ケージ１４の側面図である。
【００４３】
図４、図５に示すように、一対のフロート７の間には、ケージ８が取り付けられ、ケージ８には、ホルダ１６が着脱される支持部材１１と、フィルタ３が着脱されるヘッダ（濾過水ヘッダ）４が取り付けられている。本実施形態は、ヘッダ４とホルダ１６とは別々の部材である点が、それらが共通の部材（ヘッダホルダ４）となっていた前実施形態と異なるが、その他の基本的な形態は前実施形態と同様となっている。
【００４４】
ヘッダ４の上部には、円筒状のフィルタ３の下部が挿抜される中空のフィルタ固定ピン１７が形成されている。また、フィルタ３の上部には、一部が廃水１の水面１ａより上方に突き出るホルダ１６が、連結切離可能に取り付けられている。詳しくは、ホルダ１６の下部には、フィルタ３の上部が挿抜されるフィルタ固定ピン１８が形成されており、ホルダ１６の、廃水１の水面１ａより上方に突き出る部分（上部）１６ａには、フィルタ３の連結切離を切り替える操作部（操作レバー）１２が設けられている。
【００４５】
図６に示すように、操作レバー１２を上下に移動させることで、ホルダ１６に設けられた固定爪１９がリンク機構等を介して回動し、固定爪１９がフィルタ３に食い込む連結状態（実線で表す）と固定爪１９がフィルタ３から離間する切離状態（仮想線で表す）とに切り替わるようになっている。操作レバー１２を下方に移動させると、固定爪１９がフィルタ３に食い込むロック位置となり、上方に移動させると固定爪１９がフィルタ３から離間するアンロック位置となる。
【００４６】
図５に示すように、ホルダ１６が着脱される支持部材１１は、平面視コ字状のブラケットからなり、その対向する内面には、ホルダガイド２０が内方に突出して鉛直方向に沿って形成されている。他方、ホルダ１６の側面には、図４にも示すように、ホルダガイド２０に係合する凹部２１が鉛直方向に沿って形成されている。この構成によれば、図４、図５に示すように支持部材１１に装着されたホルダ１６を引き上げることで、ホルダ１６の凹部２１が支持部材１１のホルダガイド２０から離脱し、ホルダ１６が支持部材１１から取り外される。
【００４７】
ここで、このようにホルダ１６を引き上げて支持部材１１から取り外すとき、ホルダ１６に取り付けられたフィルタ３が、廃水１の水面１ａより上方に出ることはない。図４において、ホルダガイド２０及び凹部２１の上端が、廃水１の水面１ａよりも下方に位置されているため、ホルダ１６を支持部材１１から取り外すまで持ち上げても、フィルタ３が水面１ａの上方に出ないのである。なお、本実施形態では、ホルダガイド２０及び凹部２１の長さＸよりも、ホルダガイド２０及び凹部２１の上端から水面１ａまでの長さＹの方が長くなっており、十分な余裕が見込んである。
【００４８】
ヘッダ４には、循環路としてのホース５が接続され、ホース５の先端は、図１のポンプヘッダ１０及びポンプ６に接続されている。
【００４９】
本実施形態に係る放射性廃水の循環濾過システムを用いた廃水槽２内の廃水１の濾過、及びフィルタ３の交換について述べる。
【００５０】
図４、図５に示すように、本実施形態に係る循環濾過システムを構成する各部品を、廃水槽２（図１参照）の水面１ａに浮かべ、ポンプ６を作動させる。すると、廃水槽２内の廃水１は、フィルタ３の側面から吸い込まれてヘッダ４及びホース５等を通して廃水槽２に排出され、循環される。この循環により、廃水１中の放射性塵芥（クラッド、水垢、埃等）がフィルタ３に捕集され、廃水１が徐々に濾過されていく。
【００５１】
濾過を継続すると、フィルタ３に放射性塵芥が徐々に溜まっていき、ポンプ６の入口側と出口側との差圧が徐々に大きくなってくる。そして、上記差圧が所定値以上になったなら、フィルタ３が放射性塵芥で目詰まりしたと判断し、ポンプ６の運転を停止してフィルタ３の交換作業を行う。
【００５２】
先ず、図４に示すホルダ１６の上部１６ａ（廃水１の水面１ａから上方に飛び出た部分）を作業員が直接又は治具等を用いて間接的に把持して引き上げ、それに取り付けられたフィルタ３が廃水１の水面１ａより下方に位置する状態を保ちつつ、ホルダ１６の凹部２１を支持部材１１のホルダガイド２０から上方に引き抜き、その後、図７に仮想線で示すように、ホルダ１６を水平方向に移動させて支持部材１１から離脱させる。
【００５３】
このとき、操作レバー１２はロック位置となっているため、フィルタ３がホルダ１６から外れることはない。なお、ホルダ１６が引き上げられたとき、それに取り付けられたフィルタ３の下部がヘッダ４の固定ピン１７から引き抜かれることになる。
【００５４】
図４、図５に示すように、ケージ８の扉８ａを、廃水１の水面１ａから突き出た把手８ｂを作業員が操作して開き、支持部材１１から取り外したホルダ１６及びそれに装着されたフィルタ３をケージ８の外に移動させる。この移動は、作業員がホルダ１６の上部１６ａを直接又は間接的に把持し、フィルタ３が水面１ａより上方に出ないようにして行う。なお、ケージ８の扉８ａは予め開いておいてもよい。
【００５５】
図７に示すように、保管ケージ１４の扉１４ａを同様にして開き、ホルダ１６及びそれに装着されたフィルタ３を保管ケージ１４内に移動させる。この移動は、作業員がホルダ１６の上部１６ａを直接又は間接的に把持し、フィルタ３が廃水１の水面１ａより上方に出ないようにして行う。なお、保管ケージ１４の扉１４ａは予め開いておいてもよい。
【００５６】
図８に示すように、ホルダ１６及びそれに装着されたフィルタ３を、保管ケージ１４内に設けられたフック２２に引掛け、操作レバー１２をアンロック位置として固定爪１９をフィルタ３から離間させた状態で、作業員がホルダ１６の上部１６ａを直接又は間接的に把持してホルダ１６を引き上げる。これにより、フィルタ３が、廃水１の水面１ａから上方に出ることなくホルダ１６の固定ピン１８から引き抜かれ、保管ケージ１４内に沈められた状態で収容される。
【００５７】
その後、フィルタ３が切離されたホルダ１６を水面１ａから引き上げ、そのホルダ１６に気中にて新たなフィルタ３を取り付ける。引き上げは、ホルダ１６の上部１６ａを、作業員が直接又は間接的に把持して行う。そして、新たなフィルタ３が取り付けられたホルダ１６を再び支持部材１１（図４、図５参照）に上方から装着し、循環濾過に用いる。
【００５８】
循環濾過が終了した後、保管ケージ１４には汚染されたフィルタ３が複数保管された状態となっている。これらフィルタ３は、工事終了後に保管ケージ１４ごと引き上げられ、纏めて処理される。
【００５９】
本実施形態においても、前実施形態と同様の作用効果を奏し、作業員の被爆低減が図れ、放射線の漏洩リスクを解消でき、システムの設置場所が制限されない。
【００６０】
本発明は、上記実施形態に限定されるものではない。
【００６１】
例えば、ポンプ６を逆回転させて使用し、廃水槽２内の廃水１をホース５の先端から吸い込み、円筒状のフィルタ３の内部に供給して濾過するようにしてもよい。この場合、フィルタ３の内部に放射性塵芥が捕集されるので、最終的に保管ケージ１４からフィルタ３を引き上げるときの被爆量が減少する。
【００６２】
また、循環濾過中のフィルタ３を支持して収容するケージ８を或る程度大きく形成し、目詰まりしたフィルタ３をそのケージ８内で切り離してその底部や隅部に沈めて保管するようにし、保管ケージ１４を省略してもよい。
【図面の簡単な説明】
【００６３】
【図１】本発明の第１実施形態に係る放射性廃水の循環濾過システムの概略を表す側断面図である。
【図２】図１の要部分解図である。
【図３】図１の部分平面図である。
【図４】本発明の第２実施形態に係る放射性廃水の循環濾過システムの要部を表す側断面図である。
【図５】図４のＶ−Ｖ線断面図である。
【図６】第２実施形態に係るフィルタ及びホルダを示す側面図である。
【図７】第２実施形態に係るフィルタの交換を表す平面図である。
【図８】第２実施形態に係る保管ケージの側面図である。
【図９】従来例を示す放射性廃水の循環濾過システムの概略を表す側断面図である。
【符号の説明】
【００６４】
１  廃水
１ａ  水面
２  廃水容器としての廃水槽
３  フィルタ
４  ヘッダとホルダとを兼用したヘッダホルダ
４ａ  廃水の水面より上方に突き出る上部
５  循環路としてのホース
５ａ  一端
５ｂ  他端
６  ポンプ
７  フロート
８  ケージ
１２  操作部としての操作レバー
１６  ホルダ
１６ａ  廃水の水面より上方に突き出る上部
【図１】
0005239416.tif 000002
【図２】
0005239416.tif 000003
【図３】
0005239416.tif 000004
【図４】
0005239416.tif 000005
【図５】
0005239416.tif 000006
【図６】
0005239416.tif 000007
【図７】
0005239416.tif 000008
【図８】
0005239416.tif 000009
【図９】
0005239416.tif 000010